(57)【特許請求の範囲】
【請求項１】
子機マイク（１０３）及び子機スピーカ（１０４）を有する玄関子機（１）と、有線の伝送路（Ｌ1a）又は無線の伝送路（Ｌ1b）を経由して接続される前記玄関子機の前記子機マイク及び前記子機スピーカとの間で通話を成立させるための音声信号を入出力する親機マイク（２０２）及び親機スピーカ（２０３）を有する居室親機（２）とを設け、
前記居室親機には、前記親機マイクに入力された送話アナログ音声信号を送話デジタル音声信号にアナログ／デジタル変換するとともに、前記玄関子機の前記子機マイクに入力され前記伝送路を経由して伝送されてくる受話デジタル音声信号を受話アナログ音声信号にデジタル／アナログ変換して前記親機スピーカから出力させるための親機音声コーデック（２０４）と、前記親機音声コーデックから前記伝送路への送話ライン（Ｌ2a）を伝送される前記送話デジタル音声信号の信号電圧、及び前記伝送路から前記親機音声コーデックへの受話ライン（Ｌ2b）を伝送される前記受話アナログ音声信号の信号電圧をそれぞれ可変させるための音声処理部（２０５）とを備え、
前記居室親機の前記音声処理部には、前記送話デジタル音声信号の信号電圧を減衰させるための送話側アッテネータ（２５１ａ）と、前記受話デジタル音声信号の信号電圧を減衰させるための受話側アッテネータ（２５１ｂ）と、前記送話デジタル音声信号を複数の周波数帯域に分割するための送話側帯域分割処理回路（２５２ａ）と、前記受話デジタル音声信号を複数の周波数帯域に分割するための受話側帯域分割処理回路（２５２ｂ）と、前記送話側帯域分割処理回路にて前記複数の周波数帯域に分割された前記送話デジタル音声信号のノイズレベルを当該複数の周波数帯域に対応した所定の送話側閾値をもとに演算するための送話側ノイズレベル演算回路（２５４ａ）と、前記受話側帯域分割処理回路にて前記複数の周波数帯域に分割された前記受話デジタル音声信号のノイズレベルを当該複数の周波数帯域に対応した所定の受話側閾値をもとに演算するための受話側ノイズレベル演算回路（２５４ｂ）と、前記送話側ノイズレベル演算回路の演算結果をもとに前記送話デジタル音声信号が無音信号又は有音信号であるかを判別するための送話側信号判別回路（２５５ａ）と、前記受話側ノイズレベル演算回路の演算結果をもとに前記受話デジタル音声信号が無音信号又は有音信号であるかを判別するための受話側信号判別回路（２５５ｂ）と、前記送話側信号判別回路及び前記受話側信号判別回路の判別結果をもとに、前記送話側アッテネータの減衰レベル及び前記受話側アッテネータの減衰レベルをそれぞれ制御するための減衰レベル制御回路（２５６）とを備えることを特徴とするインターホンシステム。
【請求項２】
前記居室親機の前記音声処理部には、前記送話側帯域分割処理回路にて分割された前記複数の周波数帯域の振幅・周波数特性を調整するための送話側イコライザ（２５３ａ）と、前記受話側帯域分割処理回路にて分割された前記複数の周波数帯域の振幅・周波数特性を調整するための受話側イコライザ（２５３ｂ）とを備えることを特徴とする請求項１記載のインターホンシステム。
【発明の詳細な説明】
【技術分野】
【０００１】
本発明は、有線の伝送路又は無線の伝送路を経由して接続される玄関子機及び居室親機間で音声信号を送受信して通話を成立させるインターホンシステムに係り、特に、通話品質を高めたインターホンシステムに関する。
【背景技術】
【０００２】
従来から、住宅、事務所、工場等で用いられる拡声通話装置（インターホン、電話機、ＰＨＳ等）において、背景雑音レベルが大きい状況下においても参照信号に音声信号が含まれているか否かを精度良く検出することができる音声検出器が開示されている（例えば、特許文献１を参照。）。
【０００３】
この音声検出器によれば、マイクロホンが集音する音響信号における近端側話者の発する音声成分とそれ以外の背景雑音成分との比が小さくなることに起因して参照信号中に音声信号が含まれていても当該音声信号が検出できなくなるような状況を低減することができ、背景雑音レベルが大きい状況下においても参照信号が音声信号であるか否かを精度良く検出することができる。
【０００４】
また、前述の音声検出器のように、参照信号が音声信号であるか否かを精度良く検出することができる別途の背景技術として、データ信号（参照信号と同意。）の特定の周波数のパワースペクトラムの本数に応じて、データ信号の種類が無音信号又は（有音の）音声信号であるかを判定することができる特願２００７−２２３６８７号のインターホンシステムが出願されている。
【０００５】
【特許文献１】特開２０００―３０５５７９号公報
【発明の開示】
【発明が解決しようとする課題】
【０００６】
背景技術に記載した特開２０００―３０５５７９号公報の音声検出器及び特願２００７−２２３６８７号のインターホンシステムによれば、参照信号／データ信号の種類が無音信号又は（有音の）音声信号であることを検出／判定できるものの、特定の周波数帯域に強弱がつけられた例えば、摩擦音のような周波数成分が高く出力レベルの低い当該参照信号／データ信号を有音の音声信号として検出／判定できず、これが通話音声の頭切れの原因となり通話品質が低下していた。
【０００７】
本発明は、この難点を解消するためになされたもので、有音信号として判別可能な音声信号に周波数帯域の特性を付加し、通話音声の頭切れの原因となる音声信号の誤った判別を防止して通話品質を高めたインターホンシステムを提供することを目的としている。
【課題を解決するための手段】
【０００８】
前述の目的を達成するため、本発明の第１の態様であるインターホンシステムは、子機マイク及び子機スピーカを有する玄関子機と、有線の伝送路又は無線の伝送路を経由して接続される玄関子機の子機マイク及び子機スピーカとの間で通話を成立させるための音声信号を入出力する親機マイク及び親機スピーカを有する居室親機とを設けたものである。居室親機には、親機マイクに入力された送話アナログ音声信号を送話デジタル音声信号にアナログ／デジタル変換するとともに、玄関子機の子機マイクに入力され伝送路を経由して伝送されてくる受話デジタル音声信号を受話アナログ音声信号にデジタル／アナログ変換して親機スピーカから出力させるための親機音声コーデックと、親機音声コーデックから伝送路への送話ラインを伝送される送話デジタル音声信号の信号電圧、及び伝送路から親機音声コーデックへの受話ラインを伝送される受話アナログ音声信号の信号電圧をそれぞれ可変させるための音声処理部とを備えている。居室親機の音声処理部には、送話デジタル音声信号の信号電圧を減衰させるための送話側アッテネータと、受話デジタル音声信号の信号電圧を減衰させるための受話側アッテネータと、送話デジタル音声信号を複数の周波数帯域に分割するための送話側帯域分割処理回路と、受話デジタル音声信号を複数の周波数帯域に分割するための受話側帯域分割処理回路と、送話側帯域分割処理回路にて複数の周波数帯域に分割された送話デジタル音声信号のノイズレベルを当該複数の周波数帯域に対応した所定の送話側閾値をもとに演算するための送話側ノイズレベル演算回路と、受話側帯域分割処理回路にて複数の周波数帯域に分割された受話デジタル音声信号のノイズレベルを当該複数の周波数帯域に対応した所定の受話側閾値をもとに演算するための受話側ノイズレベル演算回路と、送話側ノイズレベル演算回路の演算結果をもとに送話デジタル音声信号が無音信号又は有音信号であるかを判別するための送話側信号判別回路と、受話側ノイズレベル演算回路の演算結果をもとに受話デジタル音声信号が無音信号又は有音信号であるかを判別するための受話側信号判別回路と、送話側信号判別回路及び受話側信号判別回路の判別結果をもとに、送話側アッテネータの減衰レベル及び受話側アッテネータの減衰レベルをそれぞれ制御するための減衰レベル制御回路とを備えている。
【０００９】
また、本発明の第２の態様であるインターホンシステムは、本発明の第１の態様において、居室親機の音声処理部には、送話側帯域分割処理回路にて分割された複数の周波数帯域の振幅・周波数特性を調整するための送話側イコライザと、受話側帯域分割処理回路にて分割された複数の周波数帯域の振幅・周波数特性を調整するための受話側イコライザとを備えている。
【発明の効果】
【００１０】
本発明のインターホンシステムによれば、玄関子機の子機マイクに入力され、この玄関子機に有線の伝送路又は無線の伝送路を経由して接続される居室親機の親機スピーカから受話音声として出力させる受話側デジタル音声信号と、居室親機の親機マイクに入力され、この居室親機に有線の伝送路又は無線の伝送路を経由して接続される玄関子機の子機スピーカから受話音声として出力させる送話側デジタル音声信号とをそれぞれ、居室親機の音声処理部を構成する帯域分割処理回路にて複数の周波数帯域に分割し、複数の周波数帯域に分割された当該デジタル音声信号について、周波数帯域毎に予め設定された閾値をもとに信号判別回路にて無音信号又は有音信号の判別を行うことができる。これにより、例えば、摩擦音のような周波数成分が高く出力レベルの低い信号であっても有音信号として高精度で判別することができ、子機スピーカ及び親機スピーカからそれぞれ出力される通話音声の頭切れの発生が防止され、通話品質が高められる。
【００１１】
また、本発明のインターホンシステムによれば、複数の周波数帯域に分割された受話側デジタル音声信号及び送話側デジタル音声信号の振幅・周波数特性が、それぞれのイコライザを経由して調整されるため、信号判別回路における無音信号又は有音信号の判別動作を安定かつ高精度で行うことができる。
【発明を実施するための最良の形態】
【００１２】
以下、本発明のインターホンシステムを適用した最良の実施の形態例について、図面を参照して説明する。
【００１３】
図１は、本発明の実施例によるインターホンシステムの構成を示すブロック図である。このインターホンシステムには、住戸外に設置され来訪者が住戸内に在室中の居住者を呼び出して通話を成立させるための玄関子機１と、住戸内に設置され、有線の伝送路Ｌ1a又は無線の伝送路Ｌ1bを経由して接続される玄関子機１からの呼び出しに応答した居住者が来訪者との間で通話を成立させるための居室親機２とが設けられている。
【００１４】
また、玄関子機１には、子機操作部１００、カメラ１０１、子機映像処理部１０２、子機マイク１０３、子機スピーカ１０４、子機音声コーデック１０５及び子機Ｉ／Ｆ（インターフェース）１０６が備えられている。
【００１５】
この玄関子機１において、子機操作部１００は、来訪者が居住者を呼び出すために操作するものであり、例えば、呼出ボタンにて構成されている。
【００１６】
カメラ１０１は、呼出操作を行った来訪者の映像や住戸外の周囲近傍の映像（監視映像を含む。）を撮像するためのものであり、例えば、ＣＣＤ、ＣＭＯＳ等の各種の撮像媒体にて構成されている。また、子機映像処理部１０２は、カメラ１０１にて撮像された映像である映像信号について、例えば、ＦＭ変調、増幅等の所定の信号処理を行うためのものである。
【００１７】
子機マイク１０３及び子機スピーカ１０４は、来訪者が居住者との間で通話を成立させるためのアナログ音声（送話音声、受話音声）を入出力するものである。また、子機音声コーデック１０５は、子機マイク１０３に入力された送話音声であるアナログ音声信号をデジタル音声信号にアナログ／デジタル変換するとともに、居室親機２の後述する親機マイク２０２に入力され有線の伝送路Ｌ1a又は無線の伝送路Ｌ1bを経由して伝送されてくる受話音声であるデジタル音声信号をアナログ音声信号にデジタル／アナログ変換して子機スピーカ１０４から出力させるためのものである。
【００１８】
子機Ｉ／Ｆ１０６は、子機操作部１００から有線の伝送路Ｌ1a又は無線の伝送路Ｌ1bへの信号伝送ラインと、子機映像処理部１０２から有線の伝送路Ｌ1a又は無線の伝送路Ｌ1bへの信号伝送ラインと、子機音声コーデック１０５及び有線の伝送路Ｌ1a間の信号伝送ライン、或いは子機音声コーデック１０５及び無線の伝送路Ｌ1b間の信号伝送ラインとをそれぞれ形成するためのものである。
【００１９】
さらに、居室親機２には、モニタ２００、親機映像処理部２０１、親機マイク２０２、親機スピーカ２０３、親機音声コーデック２０４、音声処理部２０５、親機操作部２０６、ＣＰＵ２０７及び親機Ｉ／Ｆ２０８が備えられている。
【００２０】
この居室親機２において、モニタ２００は、ＣＰＵ２０７により出画状態に制御され、来訪者による玄関子機１からの呼び出しがあることを示す呼出表示と、玄関子機１のカメラ１０１にて撮像された映像を出画するための映像出画とをそれぞれ行うものであり、例えば、ＬＣＤ、ＰＤＰ、有機ＥＬディスプレイ等の各種の出画表示媒体にて構成されている。また、親機映像処理部２０１は、ＣＰＵ２０７により制御され、有線の伝送路Ｌ1a又は無線の伝送路Ｌ1bを経由して玄関子機１から伝送されてくる映像信号について、例えば、ＦＭ復調、増幅等の所定の信号処理を行い、玄関子機１のカメラ１０１にて撮像された映像をモニタ２００に出画させるためのものである。
【００２１】
親機マイク２０２及び親機スピーカ２０３は、居住者が来訪者との間で通話を成立させるためのアナログ音声（送話音声、受話音声）を入出力するものであり、この親機スピーカ２０３は、前述の通話機能のみならず来訪者による玄関子機１からの呼び出しがあることを示す呼出報知を行うことができる。また、親機音声コーデック２０４は、ＣＰＵ２０７により制御され、親機マイク２０２に入力された送話音声であるアナログ音声信号をデジタル音声信号にアナログ／デジタル変換するとともに、玄関子機１の子機マイク１０３に入力され有線の伝送路Ｌ1a又は無線の伝送路Ｌ1bを経由して伝送されてくる受話音声であるデジタル音声信号をアナログ音声信号にデジタル／アナログ変換して親機スピーカ２０３から出力させるためのものである。
【００２２】
音声処理部２０５は、ＣＰＵ２０７により制御され、親機音声コーデック２０４から親機Ｉ／Ｆ２０８を経由して有線の伝送路Ｌ1a又は無線の伝送路Ｌ1bへの送話ラインＬ2aを伝送される送話デジタル音声信号の信号電圧と、有線の伝送路Ｌ1a又は無線の伝送路Ｌ1bから親機Ｉ／Ｆ２０８を経由して親機音声コーデック２０４への受話ラインＬ2bを伝送される受話アナログ音声信号の信号電圧とをそれぞれ可変させるためのものである。
【００２３】
親機操作部２０６は、ＣＰＵ２０７により操作検出され、来訪者による玄関子機１からの呼び出しがあることを確認した居住者が応答し、親機マイク２０２及び親機スピーカ２０３の使用による通話を成立させるための応答操作、又は成立中の通話を終了するための終話操作等を行うものであり、例えば、通話ボタンにて構成されている。この親機操作部２０６としては、居室親機２の筐体面（図示せず。）に設けられる押圧ボタンやモニタ２００の前面に設けられるタッチパネル（図示せず。）等が好適とされる。
【００２４】
ＣＰＵ２０７は、居室親機２の構成各部を制御するためのものである。また、親機Ｉ／Ｆ２０８は、有線の伝送路Ｌ1a又は無線の伝送路Ｌ1bから親機映像処理部２０１への信号伝送ラインと、有線の伝送路Ｌ1a及び（送話ラインＬ2a又は受話ラインＬ2bを経由して）親機音声スイッチ２０５間の信号伝送ライン、或いは無線の伝送路Ｌ1b及び（送話ラインＬ2a又は受話ラインＬ2bを経由して）親機音声スイッチ２０５間の信号伝送ラインと、有線の伝送路Ｌ1a及びＣＰＵ２０７間の信号伝送ライン、或いは無線の伝送路Ｌ1b及びＣＰＵ２０７間の信号伝送ラインとをそれぞれ形成するためのものである。
【００２５】
次に、居室親機２の音声処理部２０５の具体的な構成について、図２のブロック図を参照して説明する。この音声処理部２０５には、送話側アンプ２５０ａ、送話側アッテネータ２５１ａ、送話側帯域分割処理回路２５２ａ、送話側イコライザ２５３ａ、送話側ノイズレベル演算回路２５４ａ及び送話側信号判別回路２５５ａと、受話側アンプ２５０ｂ、受話側アッテネータ２５１ｂ、受話側帯域分割処理回路２５２ｂ、受話側イコライザ２５３ｂ、受話側ノイズレベル演算回路２５４ｂ及び受話側信号判別回路２５５ｂと、減衰レベル制御回路２５６とが備えられている。
【００２６】
この音声処理部２０５において、送話側アンプ２５０ａは、親機音声コーデック２０４から親機Ｉ／Ｆ２０８への送話ラインＬ2a上に設けられ、送話音声であるデジタル音声信号（送話デジタル音声信号）を増幅するためのものである。また、受話側アンプ２５０ｂは、親機Ｉ／Ｆ２０８から親機音声コーデック２０４への受話ラインＬ2b上に設けられ、受話音声であるデジタル音声信号（受話デジタル音声信号）を増幅するためのものである。
【００２７】
送話側アッテネータ２５１ａは、送話側アンプ２５０ａから親機Ｉ／Ｆ２０８への送話ラインＬ2a上に設けられ、送話音声であるデジタル音声信号（送話デジタル音声信号）の信号電圧を減衰させるにあたり、この減衰レベルが減衰レベル制御回路２５６により制御されるものである。また、受話側アッテネータ２５１ｂは、受話側アンプ２５０ｂから親機音声コーデック２０４への受話ラインＬ2b上に設けられ、受話音声であるデジタル音声信号（受話デジタル音声信号）の信号電圧を減衰させるにあたり、この減衰レベルが減衰レベル制御回路２５６により制御されるものである。
【００２８】
送話側帯域分割処理回路２５２ａは、送話側アンプ２５０ａを経由して増幅された送話デジタル音声信号を複数の周波数帯域、例えば、低周波数帯域Ｆ1aの「３００Ｈｚ＜Ｆ1a≦５００Ｈｚ」、中周波数帯域Ｆ2aの「５００Ｈｚ＜Ｆ2a≦２ｋＨｚ」、高周波数帯域Ｆ3aの「２ｋＨｚ＜Ｆ3a≦５ｋＨｚ」のような３種の周波数帯域に分割するためのものであり、高周波数帯域Ｆ3aの「５ｋＨｚ」は、サンプリング周波数の１／２の値を示している。また、受話側帯域分割処理回路２５２ｂは、受話側アンプ２５０ｂを経由して増幅された受話デジタル音声信号を複数の周波数帯域、例えば、低周波数帯域Ｆ1bの「３００Ｈｚ＜Ｆ1b≦５００Ｈｚ」、中周波数帯域Ｆ2bの「５００Ｈｚ＜Ｆ2b≦２ｋＨｚ」、高周波数帯域Ｆ3bの「２ｋＨｚ＜Ｆ3b≦５ｋＨｚ」のような３種の周波数帯域に分割するためのものであり、高周波数帯域Ｆ3bの「５ｋＨｚ」は、サンプリング周波数の１／２の値を示している。なお、送話側帯域分割処理回路２５２ａ及び受話側帯域分割処理回路２５２ｂにて行われる複数の周波数帯域への分割処理は、前述のような３種の周波数帯域への分割の態様に限定されるものではなく、２つ以上の周波数帯域であれば、より複数の周波数帯域に任意で分割することができる。
【００２９】
送話側イコライザ２５３ａは、送話側帯域分割処理回路２５２ａにて分割された３種の周波数帯域の振幅・周波数特性を調整するためのものであり、当該送話側帯域分割処理回路と一体で設けることができる。また、受話側イコライザ２５３ｂは、受話側帯域分割処理回路２５２ｂにて分割された３種の周波数帯域の振幅・周波数特性を調整するためのものであり、当該受話側帯域分割処理回路と一体で設けることができる。
【００３０】
送話側ノイズレベル演算回路２５４ａは、送話側帯域分割処理回路２５２ａにて３種の周波数帯域に分割され、送話側イコライザ２５３ａを経由して振幅・周波数特性が調整された送話デジタル音声信号のノイズレベルを演算するためのである。また、受話側ノイズレベル演算回路２５４ｂは、受話側帯域分割処理回路２５２ｂにて３種の周波数帯域に分割され、受話側イコライザ２５３ｂを経由して振幅・周波数特性が調整された受話デジタル音声信号のノイズレベルを演算するためのである。
【００３１】
送話側信号判別回路２５５ａは、送話側ノイズレベル演算回路２５４ａの演算結果をもとに、送話側イコライザ２５３ａを経由して振幅・周波数特性が調整された送話デジタル音声信号が無音信号又は有音信号であるかを判別するためのである。また、受話側信号判別回路２５５ｂは、受話側ノイズレベル演算回路２５４ｂの演算結果をもとに、受話側イコライザ２５３ｂを経由して振幅・周波数特性が調整された受話デジタル音声信号が無音信号又は有音信号であるかを判別するためのである。
【００３２】
減衰レベル制御回路２５６は、送話側信号判別回路２５５ａ及び受話側信号判別回路２５５ｂの判別結果をもとに、送話側アッテネータ２５１ａの減衰レベル及び受話側アッテネータ２５１ｂの減衰レベルをそれぞれ制御するためのである。
【００３３】
このように構成された本発明の実施例によるインターホンシステムにおいて、以下、具体的な動作について説明する。
【００３４】
図１に示す居室親機２が設置された住戸内に在室中の居住者を呼び出すために、住戸外に居る来訪者が玄関子機１の子機操作部１００を使用して所定の呼出操作を行うと、この子機操作部１００にて生成された呼出信号が、子機Ｉ／Ｆ１０６、有線の伝送路Ｌ1a又は無線の伝送路Ｌ1b、居室親機２の親機Ｉ／Ｆ２０８を経由してＣＰＵ２０７に伝送されるとともに、カメラ１０１及び子機映像処理部１０２がそれぞれ能動となる。また、カメラ１０１は、呼出操作を行った来訪者の映像（住戸外の周囲近傍の映像を含む。）の撮像を開始して映像信号を生成する。この映像信号は、子機映像処理部１０２にて例えば、ＦＭ変調、増幅等の所定の信号処理が行われた後、子機Ｉ／Ｆ１０６、有線の伝送路Ｌ1a又は無線の伝送路Ｌ1b、居室親機２の親機Ｉ／Ｆ２０８を経由して親機映像処理部２０１に伝送される。
【００３５】
図１に示す居室親機２のＣＰＵ２０７は、有線の伝送路Ｌ1a又は無線の伝送路Ｌ1bを経由して接続される玄関子機１から伝送されてきた呼出信号を受信すると、来訪者による玄関子機１からの呼び出しがある旨の呼出音や音声メッセージ等を親機スピーカ２０３から出力させて呼出報知を行うとともに、モニタ２００及び親機映像処理部２０１がそれぞれ能動となるように制御する。この制御により、モニタ２００には、親機映像処理部２０１にて例えば、ＦＭ復調、増幅等の所定の信号処理が行われた映像信号、すなわち、玄関子機１のカメラ１０１にて撮像された来訪者の映像（住戸外の周囲近傍の映像を含む。）が出画されることになる。なお、モニタ２００には、玄関子機１のカメラ１０１にて撮像された来訪者の映像（住戸外の周囲近傍の映像を含む。）の出画のみならず、来訪者による玄関子機１からの呼び出しがある旨の呼出メッセージや絵データ等を、ＣＰＵ２０７の制御により表示させることもできる。
【００３６】
この後、図１において、来訪者による玄関子機１からの呼び出しがあることを、来訪者の判別と併せて確認できた居住者が居室親機２の親機操作部２０６を使用して所定の応答操作を行うと、この操作を検出したＣＰＵ２０７は、親機音声コーデック２０４及び音声処理部２０５と玄関子機１の子機音声コーデック１０５とがそれぞれ能動となるように制御する。
【００３７】
ここで、図２に示す居室親機２の音声処理部２０５において、送話側アンプ２５０ａは、居住者により図１に示す親機マイク２０２へ入力された送話音声のアナログ音声信号であり親機音声コーデック２０４を経由してアナログ／デジタル変換された送話デジタル音声信号を増幅した後、送話ラインＬ2a上の送話側アッテネータ２５１ａ及び送話側帯域分割処理回路２５２ａにそれぞれ送出する。ここで、送話側帯域分割処理回路２５２ａは、送話側アンプ２５０ａを経由して増幅された送話デジタル音声信号を複数の周波数帯域、例えば、低周波数帯域Ｆ1aの「３００Ｈｚ＜Ｆ1a≦５００Ｈｚ」、中周波数帯域Ｆ2aの「５００Ｈｚ＜Ｆ2a≦２ｋＨｚ」、高周波数帯域Ｆ3aの「２ｋＨｚ＜Ｆ3a≦５ｋＨｚ」のような３種の周波数帯域に分割し、送話側イコライザ２５３ａを経由して振幅・周波数特性を調整させた３種の送話デジタル音声信号を、送話側ノイズレベル演算回路２５４ａ及び送話側信号判別回路２５５ａにそれぞれ送出する。
【００３８】
また、図２に示す居室親機２の音声処理部２０５を構成する送話側ノイズレベル演算回路２５４ａは、送話側イコライザ２５３ａを経由して送話側帯域分割処理回路２５２ａから伝送されてくる振幅・周波数特性が調整された３種の周波数帯域の送話デジタル音声信号をもとに、３種の周波数帯域の送話デジタル音声信号について、それぞれのノイズレベルを演算する。具体的には、居住者による通常の送話音声のように中周波数帯域又は低周波数帯域の送話デジタル音声信号については所定の閾値（以下、第１の送話側閾値という。）Ａ1をもとにノイズレベルを演算し、この演算結果を送話側信号判別回路２５５ａに送出する。一方、摩擦音のように周波数成分が高い高周波数帯域でパワーの小さい送話デジタル音声信号については前述の第１の送話側閾値Ａ1とは異なる所定の閾値（以下、第２の送話側閾値という。）Ａ2をもとにノイズレベルを演算し、この演算結果を送話側信号判別回路２５５ａに送出する。
【００３９】
さらに、図２に示す居室親機２の音声処理部２０５を構成する送話側信号判別回路２５５ａは、送話側ノイズレベル演算回路２５４ａの演算結果をもとに、送話側イコライザ２５３ａを経由して送話側帯域分割処理回路２５２ａから伝送されてくる振幅・周波数特性が調整された３種の周波数帯域の送話デジタル音声信号がそれぞれ、無音信号又は有音信号であるかを判別する。ここで、送話側信号判別回路２５５ａには、前述の第１及び第２の各送話側閾値Ａ1、Ａ2が「Ａ1＞Ａ2」の関係を有するように予め設定されているため、送話側イコライザ２５３ａを経由して送話側帯域分割処理回路２５２ａから伝送されてくる振幅・周波数特性が調整された３種の周波数帯域の送話デジタル音声信号をもとに、有音の判別感度を変化させることなく、居住者による通常の送話音声のみならず摩擦音についても有音信号として高精度で判別することができ、この判別結果は減衰レベル制御回路２５６に送出される。
【００４０】
一方、来訪者により図１に示す玄関子機１の子機マイク１０３へ入力された送話音声のアナログ音声信号であり子機音声コーデック１０５を経由してアナログ／デジタル変換された送話デジタル音声信号は、子機Ｉ／Ｆ１０６、有線の伝送路Ｌ1a又は無線の伝送路Ｌ1b、居室親機２の親機Ｉ／Ｆ２０８を経由して図２に示す音声処理部２０５の受話側アンプ２５０ｂに伝送される。この受話側アンプ２５０ｂは、受信した送話デジタル音声信号を受話デジタル音声信号として増幅した後、受話ラインＬ2b上の受話側アッテネータ２５１ｂ及び受話側帯域分割処理回路２５２ｂにそれぞれ送出する。ここで、受話側帯域分割処理回路２５２ｂは、受話側アンプ２５０ｂを経由して増幅された受話デジタル音声信号を複数の周波数帯域、例えば、低周波数帯域Ｆ1bの「３００Ｈｚ＜Ｆ1b≦５００Ｈｚ」、中周波数帯域Ｆ2bの「５００Ｈｚ＜Ｆ2b≦２ｋＨｚ」、高周波数帯域Ｆ3bの「２ｋＨｚ＜Ｆ3b≦５ｋＨｚ」のような３種の周波数帯域に分割し、受話側イコライザ２５３ｂを経由して振幅・周波数特性を調整させた３種の受話デジタル音声信号を、受話側ノイズレベル演算回路２５４ｂ及び受話側信号判別回路２５５ｂにそれぞれ送出する。
【００４１】
また、図２に示す居室親機２の音声処理部２０５を構成する受話側ノイズレベル演算回路２５４ｂは、受話側イコライザ２５３ｂを経由して受話側帯域分割処理回路２５２ｂから伝送されてくる振幅・周波数特性が調整された３種の周波数帯域の受話デジタル音声信号をもとに、３種の周波数帯域の受話デジタル音声信号について、それぞれのノイズレベルを演算する。具体的には、来訪者による通常の受話音声のように中周波数帯域又は低周波数帯域の受話デジタル音声信号については所定の閾値（以下、第１の受話側閾値という。）Ｂ1をもとにノイズレベルを演算し、この演算結果を受話側信号判別回路２５５ｂに送出する。一方、摩擦音のように周波数成分が高い高周波数帯域でパワーの小さい受話デジタル音声信号については前述の第１の受話側閾値Ｂ1とは異なる所定の閾値（以下、第２の受話側閾値という。）Ｂ2をもとにノイズレベルを演算し、この演算結果を受話側信号判別回路２５５ｂに送出する。
【００４２】
さらに、図２に示す居室親機２の音声処理部２０５を構成する受話側信号判別回路２５５ｂは、受話側イコライザ２５３ｂを経由して送話側帯域分割処理回路２５２ｂから伝送されてくる振幅・周波数特性が調整された３種の周波数帯域の受話デジタル音声信号がそれぞれ、無音信号又は有音信号であるかを判別する。ここで、受話側信号判別回路２５５ｂには、前述の第１及び第２の各受話側閾値Ｂ1、Ｂ2が「Ｂ1＞Ｂ2」の関係を有するように予め設定されているため、受話側イコライザ２５３ｂを経由して受話側帯域分割処理回路２５２ｂから伝送されてくる振幅・周波数特性が調整された３種の周波数帯域の受話デジタル音声信号をもとに、有音の判別感度を変化させることなく、来訪者による通常の受話音声のみならず摩擦音についても有音信号として高精度で判別することができ、この判別結果は減衰レベル制御回路２５６に送出される。
【００４３】
次に、図２に示す居室親機２の音声処理部２０５を構成する減衰レベル制御回路２５６は、その制御の一例として、送話側信号判別回路２５５ａの判別結果が有音であり受話側信号判別回路２５５ｂの判別結果が無音である場合には、送話側アッテネータ２５１ａの減衰レベルを低く抑える一方、受話側アッテネータ２５１ｂの減衰レベルが高くなるように制御する。この制御により、送話側信号判別回路２５５ａにて有音と判別され、送話ラインＬ2a上の送話側アンプ２５０ａを経由して増幅された送話デジタル音声信号の信号電圧は、送話側アッテネータ２５１ａにて減衰が低く抑えられた後、図１に示す親機Ｉ／Ｆ２０８、有線の伝送路Ｌ1a又は無線の伝送路Ｌ1b、玄関子機１の子機Ｉ／Ｆ１０６を経由して子機音声コーデック１０５に伝送される。ここで、子機音声コーデック１０４は、受信した有音の送話デジタル音声信号をデジタル／アナログ変換し、居住者による通常の音声のみならず前述のように有音信号として正確に判別された摩擦音についても、有音信号の受話音声として子機スピーカ１０４から出力させることができる。これにより、子機スピーカ１０４から出力される通話音声の頭切れの発生が防止され、通話品質が高められる。
【００４４】
また、図２に示す居室親機２の音声処理部２０５を構成する減衰レベル制御回路２５６は、その制御の別例として、送話側信号判別回路２５５ａの判別結果が無音であり受話側信号判別回路２５５ｂの判別結果が有音である場合には、送話側アッテネータ２５１ａの減衰レベルを高くする一方、受話側アッテネータ２５１ｂの減衰レベルが低くなるように制御する。この制御により、受話側信号判別回路２５５ｂにて有音と判別され、受話ラインＬ2b上の受話側アンプ２５０ｂを経由して増幅された受話デジタル音声信号の信号電圧は、受話側アッテネータ２５１ｂにて減衰レベルが低く抑えられた後、図１に示す親機音声コーデック２０４に伝送される。ここで、親機音声コーデック２０４は、受信した有音の受話デジタル音声信号をデジタル／アナログ変換し、来訪者の通常の音声のみならず前述のように有音信号として正確に判別された摩擦音についても、有音信号の受話音声として親機スピーカ２０３から出力させることができる。これにより、親機スピーカ２０３から出力される通話音声の頭切れの発生が防止され、通話品質が高められる。
【００４５】
なお、本発明のインターホンシステムにおいては、特定の実施の形態をもって説明してきたが、この形態に限定されるものでなく、本発明の効果を奏する限り、これまで知られた如何なる構成のインターホンシステム、例えば、映像の撮像／処理機能（１０１、１０２）が不備とされる当該玄関子機及び映像の出画／処理機能（２００、２０１）が不備とされる当該居室親機を有するインターホンシステムであっても採用できるということはいうまでもないことである。
【図面の簡単な説明】
【００４６】
【図１】本発明の実施例によるインターホンシステムの構成を示すブロック図。
【図２】本発明の実施例によるインターホンシステムにおいて、居室親機の音声処理部の具体的な構成を示すブロック図。
【符号の説明】
【００４７】
１……玄関子機
１０３……子機マイク
１０４……子機スピーカ
２……居室親機
２０２……親機マイク
２０３……親機スピーカ
２０４……親機音声コーデック
２０５……音声処理部
２５１ａ……送話側アッテネータ
２５１ｂ……受話側アッテネータ
２５２ａ……送話側帯域分割処理回路
２５２ｂ……受話側帯域分割処理回路
２５３ａ……送話側イコライザ
２５３ｂ……受話側イコライザ
２５４ａ……送話側ノイズレベル演算回路
２５４ｂ……受話側ノイズレベル演算回路
２５５ａ……送話側信号判別回路
２５５ｂ……受話側信号判別回路
２５６……減衰レベル制御回路
Ｌ1a……有線の伝送路
Ｌ1b……無線の伝送路
Ｌ2a……送話ライン
Ｌ2b……受話ライン
【図１】
0005070073.tif 000002
【図２】
0005070073.tif 000003